(57)【要約】【課題】エレベータの運行状態に合わせて案内情報を簡単に変更することができるエレベータの情報案内システムを提供する。【解決手段】エレベータの運行状態に関する案内情報を所定のタイミングで出力するエレベータの情報案内システムにおいて、その案内情報を編集するための案内編集装置７を設ける。この案内編集装置７によって編集された案内情報は案内制御装置４に与えられ、その案内情報に設定された出力タイミングになったときに映像表示装置５やスピーカ６に出力される。これにより、エレベータの運行状態に関する案内情報を出荷後であっても管理者が簡単に変更でき、独自の案内を行うことができる。【選択図】    図１
2005047648.tif 000002
【特許請求の範囲】
【請求項１】
エレベータの運行状態に関する案内情報を所定のタイミングで出力するエレベータの情報案内システムであって、
上記案内情報を編集する案内編集手段と、
この案内編集手段によって編集された案内情報の出力タイミングを記憶するタイミング記憶手段と、
このタイミング記憶手段に記憶された出力タイミングに基づいて上記編集後の案内情報を所定の場所に出力する案内制御手段と
を具備したことを特徴とするエレベータの情報案内システム。
【請求項２】
上記案内情報として利用される音声データを収録するための音声収録手段を備え、
上記案内編集手段は、上記音声収録手段によって収録された音声データを含めて編集処理を行うことを特徴とする請求項１記載のエレベータの情報案内システム。
【請求項３】
特定のエリアにおける状態変化を検出する状態変化検出手段を備え、
上記案内制御手段は、上記状態変化検出手段によって上記特定のエリアにおける状態変化が検出されたときに、その状態変化に関する案内情報を上記所定の場所に出力することを特徴とする請求項１記載のエレベータの情報案内システム。
【請求項４】
特定のエリアにおける状態変化を検出する状態変化検出手段と、
上記特定のエリアに設置された撮影手段とを備え、
上記案内制御手段は、上記状態変化検出手段によって上記特定のエリアにおける状態変化が検出されたときに、上記撮影手段によって撮影された映像データを案内情報として上記所定の場所に出力することを特徴とする請求項１記載のエレベータの情報案内システム。
【請求項５】
上記状態変化検出手段は、各階の乗り場または乗りかご内の利用者の混雑度を検出することを特徴とする請求項３または４記載のエレベータの情報案内システム。
【請求項６】
上記案内編集手段によって編集された案内情報がエレベータの運行状態に応じてどのようなタイミングで出力されるかをシミュレートするシミュレート手段を備えたことを特徴とする請求項１記載のエレベータの情報案内システム。
【発明の詳細な説明】
【０００１】
【発明の属する技術分野】
本発明は、エレベータの各階の乗り場や乗りかご内の利用者に各種情報を案内するエレベータの情報案内システムに関する。
【０００２】
【従来の技術】
従来からエレベータが設置されたビルなどでは、各階の乗り場や乗りかご内にて様々な情報を文字や音声等によって利用者に案内する情報案内システムが知られている（例えば特許文献１、２参照）。
【０００３】
この種の情報案内システムでは、例えば乗りかごのドアの開閉時には「ドアが開きます」、「ドアが閉まります」といったように、エレベータの運行状態に関する情報が乗りかごに設置されたスピーカから音声にて案内したり、ＬＣＤ等のディスプレイが乗りかご内に設置されていれば、そのディスプレイ画面上に文字メッセージにて案内される。これは、乗り場でも同様であり、各階の乗り場にて設置されたスピーカやディスプレイからエレベータの運行状態に関する各種情報が音声や文字等によって利用者に案内されるようになっている。
【０００４】
【特許文献１】
特開平７−３１５７０６号公報
【０００５】
【特許文献２】
特開平１０−２０６２１８号公報
【０００６】
【発明が解決しようとする課題】
上述したようなエレベータの情報案内システムでは、エレベータ出荷時に当該エレベータの運行状態に合わせて各種情報を最適なタイミングで案内できるように予め設定している。しかしながら、出荷後にエレベータの管理者が何らかの都合で案内情報を変更すると、上記予め設定されたタイミングと変更後のタイミングとが重なるなどの不具合が生じる可能性があり、また、それを回避するためにはエレベータを実際に運行して確認するなどの面倒な作業が必要となるなどの問題があった。
【０００７】
さらに、この種の情報案内システムでは、各階の乗り場や乗りかご内に設置されたディスプレイに画像や映像を表示するものがあるが、これらの情報の出力タイミングは固定化されており、必ずしも利用者にとって必要なときに表示されるものではなかった。
【０００８】
本発明は上記のような点に鑑みなされたもので、エレベータの運行状態に合わせて案内情報を簡単に変更することができ、また、画像や映像の案内情報を適切なタイミングで出力することのできるエレベータの情報案内システムを提供することを目的とする。
【０００９】
【課題を解決するための手段】
本発明のエレベータの情報案内システムは、エレベータの運行状態に関する案内情報を所定のタイミングで出力するエレベータの情報案内システムであって、上記案内情報を編集する案内編集手段と、この案内編集手段によって編集された案内情報の出力タイミングを記憶するタイミング記憶手段と、このタイミング記憶手段に記憶された出力タイミングに基づいて上記編集後の案内情報を所定の場所に出力する案内制御手段とを具備して構成される。
【００１０】
このような構成によれば、エレベータの運行状態に関する案内情報を編集するための機能を備えることで、出荷後にエレベータの管理者が独自の案内を行うことができる。
【００１１】
また、上記情報案内システムにおいて、上記案内情報として利用される音声データを収録するための音声収録手段を備え、上記案内編集手段は、上記音声収録手段によって収録された音声データを含めて編集処理を行うことを特徴とする。
【００１２】
このような構成によれば、予め案内情報として設定された音声データだけでなく、新たに収録した音声データを利用して案内することができる。
【００１３】
また、上記情報案内システムにおいて、特定のエリアにおける状態変化を検出する状態変化検出手段を備え、上記案内制御手段は、上記状態変化検出手段によって上記特定のエリアにおける状態変化が検出されたときに、その状態変化に関する案内情報を上記所定の場所に出力することを特徴とする。
【００１４】
このような構成によれば、特定のエリアで何らかの状態変化があったときに、その状態変化に関する案内情報を利用者に提供することができる。
【００１５】
また、上記情報案内システムにおいて、特定のエリアにおける状態変化を検出する状態変化検出手段と、上記特定のエリアに設置された撮影手段とを備え、上記案内制御手段は、上記状態変化検出手段によって上記特定のエリアにおける状態変化が検出されたときに、上記撮影手段によって撮影された映像データを案内情報として上記所定の場所に出力することを特徴とする。
【００１６】
このような構成によれば、特定のエリアで何らかの状態変化があったときに、そのエリアで撮影された映像データを案内情報としてを利用者に提供することができる。
【００１７】
また、上記状態変化検出手段は、各階の乗り場または乗りかご内の利用者の混雑度を検出するものである。これにより、例えば各階の乗り場または乗りかご内にて利用者の数が所定数以上に混雑した状態になったときなどに、その混雑状態を画像、映像により視覚的に案内することができる。
【００１８】
また、上記情報案内システムにおいて、上記案内編集手段によって編集された案内情報がエレベータの運行状態に応じてどのようなタイミングで出力されるかをシミュレートするシミュレート手段を備えたことを特徴とする。
【００１９】
このような構成によれば、編集後の案内情報がエレベータの運行状態に応じて正しいタイミングで出力されるか否かをシミュレーションによって簡単に確認することができる。
【００２０】
【発明の実施の形態】
以下、図面を参照して本発明の一実施形態を説明する。
【００２１】
図１は本発明の一実施形態に係るエレベータの情報案内システムの構成を示すブロック図である。
【００２２】
本実施形態における情報案内システムは、図１に示すように、エレベータの運転を制御するエレベータ制御盤１と、各階の乗り場や乗りかごでの状態変化を検出するセンサ２と、特定の場所の映像を撮影するカメラ３と、エレベータ制御盤１から得られるエレベータの運行状態やセンサ２によって検出される状態変化に基づいて案内情報の出力制御を行う案内制御装置４と、案内制御装置４から出力された案内情報を文字や画像・映像にて表示する映像表示装置５と、案内制御装置４から出力された案内情報を音声出力するスピーカ６と、案内情報を編集するための案内編集装置７と、音声情報を案内編集装置７に取り込むための音声収録装置８とから構成されている。
【００２３】
なお、映像表示装置５やスピーカ６は各階の乗り場や乗りかごのうちの少なくとも１箇所に設置されるものであり、それらの場所毎に複数設置される場合には案内制御装置４もそれに合わせて複数台設置することも可能である。
【００２４】
上記構成において、エレベータ制御盤１はエレベータ機械室に設置され、乗りかごの昇降動作などを制御すると共に、乗りかごの位置やドア開閉状態、過重状態、走行状態等を監視し、これらの監視信号をリアルタイムで案内制御装置４に出力している。このとき出力される各監視信号は、例えばＲＳ−４８５やＲＳ−２３２Ｃ、Ｅｔｈｅｒｎｅｔ等のシリアル伝送方法により案内制御装置７に伝送される。なお、エレベータの監視信号を伝送する場合に、状態変化の有無に関係なく一定間隔毎に伝送する方法や、状態変化が発生したときのみ伝送する方法がある。
【００２５】
センサ２は、各階の乗り場や乗りかごなどの所定の位置に設置され、例えば人の有無やその人数、臭い、明るさ等の状態変化を検出し、その状態変化信号を案内制御装置４に出力する。
【００２６】
カメラ３は、センサ２の近傍に設置され、そこで撮影された映像データを案内制御装置４に出力する。このとき、カメラ３の電源を案内制御装置４から供給することで、案内制御装置４からカメラ３の電源制御が可能となり、カメラ３の映像を案内するときのみ電源を入れることも可能である。
【００２７】
案内制御装置４は、エレベータ機械室や乗り場、乗りかご上などに設置され、エレベータ制御盤１やセンサ２からの各信号に基づいて案内内容を判断し、その案内内容に応じた文字、画像・映像、音声データを内部メモリから読み出して映像表示装置５やスピーカ６に出力する。
【００２８】
ここで、案内制御装置４について図２乃至図４を参照して説明する。
【００２９】
図２は案内制御装置４の内部構成を示すブロック図である。
【００３０】
案内制御装置４は、案内情報の出力制御を行うコンピュータである。この案内制御装置４は、タイミングデータ記憶部１１と、音声データ記憶部１２と、映像・画像・メッセージデータ記憶部１３と、案内制御部１４と、シリアル伝送制御部１５と、音声制御部１６と、Ｅｔｈｅｒｎｅｔ伝送制御部１８と、センサ信号入力部１９と、映像信号入力部２０とを備える。
【００３１】
タイミングデータ記憶部１１は、各種案内情報を出力する条件（タイミング）を記憶している。音声データ記憶部１２は、案内情報として出力される音声データを複数記憶している。映像・画像・メッセージデータ記憶部１３は、案内情報として出力される映像・画像データやメッセージデータ（文字データ）を複数記憶している。
【００３２】
案内制御部１４は、エレベータの運行状態やセンサ信号に基づいて案内すべき内容を判断して各部へ指令を行う。シリアル伝送制御部１５は、エレベータ制御盤１との間のシリアル伝送を制御する。音声制御部１６は、案内制御部１４からの指令に基づき音声データ記憶部１２から該当する音声データを取り出し、スピーカ６にて出力可能な音声信号に変換して出力する。映像制御部１７は、案内制御部１４からの指令に基づき映像・画像・メッセージデータ記憶部１３から該当する映像・画像・メッセージデータを取り出し、映像表示装置５にて表示可能な映像信号に変換して出力する。
【００３３】
Ｅｔｈｅｒｎｅｔ伝送制御部１８は、案内編集装置７との間のＥｔｈｅｒｎｅｔ伝送を制御する。センサ信号入力部１９は、センサ２からの信号を入力する。映像信号入力部２０は、カメラ３からの映像信号を入力する。
【００３４】
図３は案内制御装置４のタイミングデータ記憶部１１に記憶されたタイミングデータの一例を示す図である。
【００３５】
タイミングデータ記憶部１１には、現在設定されている案内情報のタイミングデータが記憶されている。設定項目として、ここでは「エレベータ状態」、「外部センサ」、「案内場所」、「案内内容」があり、これらの項目毎に後述する案内編集画面にて設定された結果がタイミングデータ記憶部１１に記憶される。「エレベータ状態」とは、エレベータの運行状態を示すものであり、「走行」、「ドア」、「方向」、「地震」、「火災」、「停電」、「故障」といった各項目からなる。「案内内容」とは、案内情報として出力されるデータ内容を示すものであり、「メッセージ」、「映像・画像」、「音声」といった各項目からなる。なお、「メッセージ」とは、文字メッセージのことである。
【００３６】
また、上記音声データ記憶部１２には、「ドアが開きます。」、「上にまいります。」、「地震が発生しました。」等の音声データがデジタル信号としてファイル単位で記憶されている。上記映像・画像・メッセージデータ記憶部１３には、映像・画像のデータがＭＰＥＧ、ＪＰＥＧ等の所定の圧縮方式にて圧縮された状態でファイル単位で記憶されていると共にメッセージデータ（文字データ）が記憶されている。
【００３７】
図４は案内制御装置４内の案内制御部１４の処理動作を示すフローチャートである。
【００３８】
案内制御装置４内の案内制御部１４は、エレベータ機械室に設置されたエレベータ制御盤１からシリアル伝送制御部１５を介してエレベータの監視信号を入力する（ステップＡ１１）。また、案内制御部１４は、特定のエリアに設置されたセンサ２からセンサ信号入力部１９を介してセンサ信号を入力する（ステップＡ１２）。そして、案内制御部１４は、これらの信号から現在の状態に対応した案内内容がタイミングデータ記憶部１１に記憶されているか否かを判別する（ステップＡ１３）。
【００３９】
現在の状態に対応した案内内容がタイミングデータ記憶部１１に記憶されていない場合には（ステップＡ１３のＮｏ）、案内制御部１４は、例えば通常の映像を各階の乗り場や乗りかご内に表示し続けると共にＢＧＭ等を出力する（ステップＡ１４）。一方、該当する案内内容がタイミングデータ記憶部１１に記憶されていれば（ステップＡ１３のＹｅｓ）、案内制御部１４は、該当する案内内容（メッセージ、映像・画像、音声）を出力するように音声制御部１６および映像制御部１７に指令する（ステップＡ１５）。
【００４０】
具体的に説明すると、例えば、
「走行」、「ドア」、「方向」：（指定なし）
「地震」                    ：ＯＮ
「火災」、「停電」、「故障」：ＯＦＦ
「外部センサ」              ：（指定なし）
といったような状態が発生した場合には、図３のＮｏ．６で設定された状態と一致するため、すべての乗り場や乗りかごに設置された映像表示装置５やスピーカ６を通じて当該状態に対応した案内内容が出力される。
【００４１】
すなわち、案内制御部１４は音声制御部１６に対して音声ファイル：“Ｅａｒｔｈｑｕａｋｅ．ｗａｖ”を出力するように指令すると共に、映像制御部１７に対して画像ファイル：“Ｅａｒｔｈｑｕａｋｅ．ｂｍｐ”とメッセージ：「地震が発生しました。」を表示するように指令する。音声制御部１６は音声データ記憶部１２から音声ファイル：“Ｅａｒｔｈｑｕａｋｅ．ｗａｖ”を取り出し、アナログ信号に変換してスピーカ６に出力する。映像制御部１７は映像・画像・メッセージデータ記憶部１３から画像ファイル：“Ｅａｒｔｈｑｕａｋｅ．ｂｍｐ”とメッセージ：「地震が発生しました。」を取り出して映像を生成して映像表示装置５に出力する。
【００４２】
また、別の例として、
「走行」、「ドア」、「方向」          ：（指定なし）
「地震」、「火災」、「停電」、「故障」：ＯＦＦ
「外部センサ」                        ：５Ｆ混雑センサＯＮ
といった状態が発生した場合、図３のＮｏ．５で設定された状態と一致するため、１階の乗り場に設置された映像表示装置５から当該状態に応じた案内内容が出力される。
【００４３】
すなわち、案内制御部１４は映像制御部１７に５階乗り場カメラ映像とメッセージ：「最上階は混雑しております。」を表示するように指令する。映像制御部１７は映像信号入力部２０から５階乗り場映像を取り込むと共に、映像・画像・メッセージデータ記憶部１３からメッセージ：「最上階は混雑しております。」を取り出して映像を生成して１階乗り場に設置された映像表示装置５に出力する。
【００４４】
次に、案内編集装置７について図５乃至図１３を参照して説明する。
【００４５】
図５は本システムの案内編集装置７における案内編集画面３０の構成を示す図である。
【００４６】
案内編集装置７は、エレベータの監視室等に設置され、案内情報を変更する場合、特にエレベータの運行状態に関する案内情報を変更する場合に用いられるコンピュータであって、所定の操作により図５に示すような案内編集画面３０を表示する。この案内編集画面３０には、上述したタイミングデータ記憶部１１の各項目と同じ項目が設けられており、これらの項目毎に任意に設定変更を行うことができるようになっている。
【００４７】
すなわち、エレベータの管理者は、まず、この案内編集画面３０上で設定変更したい行３１をクリックする。これにより、その変更対象となる行３１が例えば反転表示される。この状態になると、当該行３１に含まれる各項目内に編集用のボタン３２が表示される。続いて、これらのボタン３２をクリックすると、各項目毎に設定可能な候補を示すリスト画面３３〜４０が表示され、これらのリスト画面３３〜４０の中で所望の項目を選択することで案内情報の登録、変更が行われる。図６乃至図１３に各項目毎のリスト画面３３〜４０の一例を示す。
【００４８】
図６は「走行」に関するリスト画面３３の一例を示す図である。
【００４９】
このリスト画面３３には、「（指定なし）」、「１Ｆにて停止」、「２Ｆにて停止」、「３Ｆにて停止」…といった複数の設定候補が設けられており、その中で選択された候補がタイミングデータ記憶部１１の中の該当する項目に設定されることになる。図中の「１Ｆにて停止」とは、乗りかごが１Ｆに停止したときに案内情報を出力することを意味する。他も同様である。また、「走行中」とは、乗りかごが走行中にあることに案内情報を出力することを意味する。
【００５０】
図７は「ドア状態」に関するリスト画面３４の一例を示す図である。
【００５１】
このリスト画面３４には、「（指定なし）」、「ドア開開始→ドア全開」、「ドア閉開始→ドア全閉」、「ドア全開→ドア閉開始」といった複数の設定候補が設けられており、その中で選択された候補がタイミングデータ記憶部１１の中の該当する項目に設定される。図中の「ドア開開始→ドア全開」とは、乗りかごのドアが開き始めた状態から全開するまでの間に案内情報を出力することを意味する。「ドア閉開始→ドア全閉」とは、乗りかごのドアが閉まり始めた状態から全閉するまでの間に案内情報を出力することを意味する。「ドア全開→ドア閉開始」とは、乗りかごのドアが全開した状態から閉まり始めるまでの間に案内情報を出力することを意味する。
【００５２】
図８は「方向」に関するリスト画面３５の一例を示す図である。
【００５３】
このリスト画面３５には、「（指定なし）」、「上」、「下」、「方向なし（停止）」といった複数の設定候補が設けられており、その中で選択された候補がタイミングデータ記憶部１１の中の該当する項目に設定される。図中の「上」とは、乗りかごが上昇したときに案内情報を出力することを意味する。「下」とは、乗りかごが下降したときに案内情報を出力することを意味する。「方向なし（停止）」とは、乗りかごが停止しているときに案内情報を出力することを意味する。
【００５４】
図９は「外部センサ」に関するリスト画面３６の一例を示す図である。
【００５５】
このリスト画面３６には、「なし」、「５Ｆ混雑度センサ」、「かご内混雑度センサ」といった複数の設定候補が設けられており、その中で選択された候補がタイミングデータ記憶部１１の中の該当する項目に設定される。図中の「５Ｆ混雑度センサ」とは、５Ｆの乗り場に設置されたセンサ２によって所定数以上の利用者の混雑度が検出されたときに案内情報を出力することを意味する。「かご内混雑度センサ」とは、乗りかごに設置されたセンサ２によって所定数以上の利用者の混雑度が検出されたときに案内情報を出力することを意味する。
【００５６】
図１０は「案内場所」に関するリスト画面３７の一例を示す図である。
【００５７】
このリスト画面３７には、乗りかごを対象として「全て」、「１号機かご」、「２号機かご」、「３号機かご」…といった複数の設定候補が設けられており、その中で選択された候補がタイミングデータ記憶部１１の中の該当する項目に設定される。図中の「全て」とは、全号機の乗りかご内を案内場所とすることを意味する。「１号機かご」とは、１号機の乗りかご内を案内場所とすることを意味する。他も同様である。なお、図１０の例では、乗りかごを対象とした場合にしか示されていないが、各階の乗り場について同様に案内場所として設定することができる。
【００５８】
また、図１１乃至図１３は「案内内容」に関するリスト画面３８〜４０の一例を示す図であり、図１１はメッセージ用のリスト画面３８、図１２は映像・画像データ用のリスト画面３９、図１３は音声データ用のリスト画像４０を示している。
【００５９】
これらのリスト画面３８〜４０には、それぞれメッセージ（文字データ）、映像・画像データ、音声データの設定候補が設けられており、これらの中で選択された候補がタイミングデータ記憶部１１の中の該当する項目に設定される。なお、映像・画像データには、予め用意された映像・画像ファイルの他に、所定の場所に設置されたカメラ３によって撮影された映像データも含まれる。
【００６０】
このように、本システムでは、設定対象となる各項目を有する案内編集画面３０を用いて、エレベータの管理者が各項目毎に案内情報を簡単に変更することができる。この場合、管理者によって不適切な変更指示があれば、例えば「その変更は不適切です。やり直してください。」といったようなエラーメッセージを出すようにしても良い。なお、変更指示が適切か不適切かの判断は、例えば変更規則が定義されたテーブルを用いて、管理者の変更指示をそのテーブルと照らし合わせることで判断することができる。
【００６１】
また、上記案内編集画面３０に設けられた「外部センサ」の項目を設定しておけば、例えば乗り場や乗りかごでの混雑状態（利用者数）が所定数以上になると、「＊＊階は混在しております。」といったようなメッセージが表示されると共に、その階でのカメラ映像が表示される。これにより、エレベータの利用者に対して、その混在状態をカメラ映像にて視覚的に案内することができる。
【００６２】
次に、本システムに備えられた音声登録機能について図１４および図１５を参照して説明する。
【００６３】
図１４は音声データを登録するときの流れを示すフローチャート、図１５はその登録時に表示される音声データ登録画面４１の構成を示す図である。
【００６４】
本システムでは、既存の音声データの他に、管理者が独自に音声データを登録して、これを案内情報として利用することができる。この音声登録機能は、例えば案内編集装置７に設けられた図示せぬ音声登録ボタンを押下するか、あるいは、図示せぬメニュー画面で「音声登録」の項目を選択するなどの所定の操作により起動される。
【００６５】
音声登録機能が起動されると、図１５に示すような音声データ登録画面４１が案内編集装置７に表示される（ステップＢ１１）。この音声データ登録画面４１には、録音開始を指示するための「録音開始」ボタン４２、録音終了を指示するための「録音終了」ボタン４３、録音した音声データの再生を指示するための「再生」ボタン４４、録音した音声データの再生を指示するための「再生」ボタン４４、録音した音声データの保存を指示するための「保存」ボタン４５、録音した音声データを取り消すための「キャンセル」ボタン４６などが設けられている。
【００６６】
ここで、エレベータの管理者は、まず、音声データ登録画面４１に設けられた「録音開始」ボタン４２の押下により録音開始を指示した後（ステップＢ１２）、案内編集装置７に接続されたマイク等の音声収録装置８に向かって録音したい内容を発声する（ステップＢ１２）。これにより、音声収録装置８を通じて案内編集装置７に音声データが入力され、案内編集装置７の内部メモリに保持される（ステップＢ１３）。
【００６７】
録音後、音声データ登録画面４１に設けられた「録音終了」ボタン４３の押下により録音終了を指示する（ステップＢ１４）。その際、「再生」ボタン４４を押下すると、現在録音した音声データがスピーカ６から再生され、その録音内容を確認することができる（ステップＢ１６）
ここで、録音内容に問題がなければ（ステップＢ１７のＹｅｓ）、「保存」ボタン４５の押下により保存を指示する。これにより、ファイル名指定画面４７がウインドウ表示され、そのファイル名指定画面４７に入力されたファイル名に従って上記録音した音声データが保存される（ステップＢ１８）。
【００６８】
詳しくは、上記録音した音声データが案内編集装置７から案内制御装置４に伝送され、この案内制御装置４に設けられた音声データ記憶部１２に所定の圧縮方式でファイル化されて保存される。以後は、上述した案内編集画面３０を用いて案内情報を編集する際に、既存の音声データに代わって当該音声データを設定しておけば、所定のタイミングで当該音声データを案内情報として出力することができる。
【００６９】
一方、録音内容に問題がある場合には（ステップＢ１７のＮｏ）、再度、録音を行うか否かを判断する（ステップＢ１９）。録音を行う場合には（ステップＢ１９のＹｅｓ）、最初の手順に戻って「録音開始」ボタン４２を押して再び録音を開始する。このとき録音された音声データは既に録音済みの音声データに上書きされることになる。また、録音を行わない場合には（ステップＢ１９のＮｏ）、「キャンセル」ボタン４６を押下して、録音したデータを破棄して終了する（ステップＢ２０）。
【００７０】
このように、本システムによれば、既存の音声データと別に、管理者独自の音声データを簡単に登録することができ、所定のタイミングで案内情報として出力することができる。
【００７１】
次に、本システムに備えられた案内内容のプレビュー機能について図１６乃至図１９を参照して説明する。
【００７２】
図１６は本システムの案内編集装置７におけるプレビュー画面５０の構成を示す図である。
【００７３】
このプレビュー画面５０は、エレベータの運行状態をシミュレーションして、そのときに表示される案内情報の内容を確認するための画面であり、プレビューエリア５１およびエレベータ走行シミュレーションエリア５２を有する。画面左に設けられたプレビューエリア５１は、エレベータの乗り場や乗りかご内に設置された映像表示装置５に表示される映像データを擬似的に生成するエリアである。画面右に設けられたエレベータ走行シミュレーションエリア５２は、エレベータの運行状態を擬似的に再現するためのエリアである。
【００７４】
プレビューエリア５１では、エレベータの乗場や乗りかご内に設置された映像表示装置５のうちの１つをディスプレイ選択リスト６１で選択するように構成されている。これにより、案内表示部６２にディスプレイ選択リスト６１で選択された映像表示装置５の案内内容が表示される。
【００７５】
また、エレベータ走行シミュレーションエリア５２では、案内情報の表示タイミングをエレベータの運行状態に合わせて確認するために、そのエレベータの運行状態をシミュレーションするエリアであり、図１６では１つのバンクにエレベータが８台設置された例が示されている。
【００７６】
このエレベータ走行シミュレーションエリア５２の上部に配列された使用有無チェック欄６３は、実際に設置されている各号機のエレベータの中でシミュレーションに使用する号機を選択するためのものである。シミュレーションに使用する場合には、その号機に対応する使用有無チェック欄６３にチェックマーク６３ａを入れ、使用しない場合には使用有無チェック欄６３からチェックマーク６３ａを外す。特定の号機での表示内容を確認したい場合にはシミュレーションを行う号機を限定して行うことも可能である。
【００７７】
６４はエレベータの乗りかごを表すオブジェクトであり、乗りかごの位置や方向、ドア開閉を表す。乗りかごの位置は、かごオブジェクト６４の画面上の位置を見ることで分かる。図１６の例では、１号機の乗りかごは５Ｆにあり、２号機の乗りかごは１Ｆにあることが分かる。また、３号機の乗りかごは２Ｆと３Ｆの間にあることが分かる。
【００７８】
かごオブジェクト６４の乗りかごの方向やドア開閉時の状態については、図１７に示すように、「戸閉上方向」、「戸閉下方向」、「戸閉方向なし（停止）」、「戸開上方向」、「戸開下方向」、「戸開方向なし（停止）」などがあり、そのときの状態に応じて切り替えられて表示される。さらに、かごオブジェクト６４のドア開閉については、図１８（ａ）〜（ｅ）に示すように、全閉状態（図１８（ａ））から順に全開状態（図１８（ｅ））まで徐々にドアが開く様子をアニメーションで見ることができる。
【００７９】
ここで、エレベータの走行シミュレーションは、乗り場での上下方向の呼びや乗りかご内で行先階の呼びを登録することで行われる。エレベータ走行シミュレーションエリア５２には、そのためのボタンが設けられている。
【００８０】
図中の６５は乗り場呼びボタンである。この乗り場呼びボタン６５をクリックすることで乗り場の呼びを発生させることができる。６６は乗りかご内の行先階ボタンである。この行先階ボタン６６をクリックすると、乗りかご内でも呼びを発生させることができる。これらのボタン６５、６６をクリックすることで、該当する号機のかごオブジェクト６４が乗り場や乗りかご内の呼びに応えて移動する。
【００８１】
そして、このときに乗り場や乗りかご内で表示される案内情報の内容をプレビューエリア５１で確認することができる。このときの案内情報の表示は案内制御部１４のタイミングデータ記憶部１１に記憶されたタイミングデータに従う。すなわち、案内編集装置７が案内制御装置４から現在設定されている案内情報のタイミングデータを取得することにより、このタイミングデータに従ってプレビューエリア５１の案内表示部６２に上記選択された号機のかごオブジェクト６４の動きに合わせて案内内容の表示を行う。このとき表示される案内内容（映像・画像・メッセージ）は案内制御部１４の映像・画像・メッセージデータ記憶部１３から取得したものである。
【００８２】
また、このエレベータ走行シミュレーションエリア５２には、非常時の状態を発生させるための非常時ボタン６７が設けられている。この例では、「地震」、「火災」、「停電」、「故障」といった状態を選択的に発生させることができ、そのときに出力される案内情報を確認することができる。この非常時ボタン６７の中の「地震」、「火災」、「停電」、「故障」の各ボタンは、図１９に示すように押されたときに点灯するか、あるいは、他の色で表示される。
【００８３】
また、案内編集装置７では、プレビューエリア５１での映像表示の他に音声による案内も出力することができる。これは、上記タイミングデータに基づいて案内制御部１４の音声データ記憶部１２から該当する音声データを取得することによって実現できる。
【００８４】
このように、本システムのシミュレーション機能を用いれば、実際にエレベータを起動しなくとも、エレベータの運行状態に合わせて現在設定されている案内情報がどのようなタイミングでどのように出力されるのかを画面上で擬似的に確認することができ、設定ミスなどを容易に発見することができる。
【００８５】
【発明の効果】
以上のように本発明によれば、エレベータの運行状態に関する案内情報を出荷後に管理者が簡単に変更することができ、管理者独自の案内を行うことができるようになる。
【００８６】
また、プレビュー機能を用いてメッセージの表示時間の妥当性や音声案内のタイミングが他の音声案内のタイミングと重なることがないかなどを設定時に確認することができる。
【図面の簡単な説明】
【図１】本発明の一実施形態に係るエレベータの情報案内システムの構成を示すブロック図。
【図２】上記情報案内システムに設けられた案内制御装置の内部構成を示すブロック図。
【図３】上記案内制御装置のタイミングデータ記憶部に記憶されたタイミングデータの一例を示す図。
【図４】上記案内制御装置内の案内制御部の処理動作を示すフローチャート。
【図５】上記情報案内システムの案内編集装置における案内編集画面の構成を示す図。
【図６】案内編集時に表示される「走行」に関するリスト画面の一例を示す図。
【図７】案内編集時に表示される「ドア状態」に関するリスト画面の一例を示す図。
【図８】案内編集時に表示される「方向」に関するリスト画面の一例を示す図。
【図９】案内編集時に表示される「外部センサ」に関するリスト画面の一例を示す図。
【図１０】案内編集時に表示される「案内場所」に関するリスト画面の一例を示す図。
【図１１】案内編集時に表示される「案内内容」のメッセージに関するリスト画面の一例を示す図。
【図１２】案内編集時に表示される「案内内容」の映像・画像に関するリスト画面の一例を示す図。
【図１３】案内編集時に表示される「案内内容」の音声に関するリスト画面の一例を示す図。
【図１４】上記情報案内システムの案内編集装置における音声データを登録するときの流れを示すフローチャート。
【図１５】上記情報案内システムの案内編集装置における音声登録時に表示される音声データ登録画面の構成を示す図。
【図１６】上記情報案内システムの案内編集装置におけるプレビュー画面の構成を示す図。
【図１７】上記プレビュー画面に表示されるかごオブジェクトの凡例を示す図。
【図１８】上記プレビュー画面に表示されるかごオブジェクトのドア開閉状態を示す図。
【図１９】上記プレビュー画面に表示される各ボタンが押されていない状態と押された状態を示す図。
【符号の説明】
１…エレベータ制御盤、２…センサ、３…カメラ、４…案内制御装置、５…映像表示装置、６…スピーカ、７…案内編集装置、８…音声収録装置、１１…タイミングデータ記憶部、１２…音声データ記憶部、１３…映像・画像・メッセージデータ記憶部、１４…案内制御部、１５…シリアル伝送制御部、１６…音声制御部、１７…映像制御部、１８…Ｅｔｈｅｒｎｅｔ伝送制御部、１９…センサ信号入力部、２０…映像信号入力部、３０…案内編集画面、３３〜４０…リスト画面、４１…音声データ登録画面、５０…プレビュー画面、５１…プレビューエリア、５２…エレベータ走行シミュレーションエリア。
【図１】
2005047648.tif 000003
【図２】
2005047648.tif 000004
【図３】
2005047648.tif 000005
【図４】
2005047648.tif 000006
【図５】
2005047648.tif 000007
【図６】
2005047648.tif 000008
【図７】
2005047648.tif 000009
【図８】
2005047648.tif 000010
【図９】
2005047648.tif 000011
【図１０】
2005047648.tif 000012
【図１１】
2005047648.tif 000013
【図１２】
2005047648.tif 000014
【図１３】
2005047648.tif 000015
【図１４】
2005047648.tif 000016
【図１５】
2005047648.tif 000017
【図１６】
2005047648.tif 000018
【図１７】
2005047648.tif 000019
【図１８】
2005047648.tif 000020
【図１９】
2005047648.tif 000021